(57)【要約】【課題】ユーザーが容易にコンテンツを選択可能な装置を提供すること。【解決手段】ＤＡＰ１は、表示部４と、タッチパネル５１と、ＳｏＣ２と、を備える。ＳｏＣ２は、タッチパネル５１により、一方向から他方向への操作を受け付けた場合、コンテンツの属性情報の頭文字を示すインデックスリストを表示部４に表示する。ＳｏＣ２は、インデックスリストとして、アルファベットを表示する。ＳｏＣ２は、アルファベットにおいて、記憶部３に記憶されていないコンテンツのタイトルの頭文字の表示態様を変更する。【選択図】図３
2019040398.tif 000002
【特許請求の範囲】
【請求項１】
表示部と、
タッチパネルと、
制御部と、を備え、
前記制御部は、
前記タッチパネルにより、一方向から他方向への操作を受け付けた場合、コンテンツの属性情報の頭文字を示すインデックスリストを前記表示部に表示することを特徴とする表示装置。
【請求項２】
前記制御部は、前記タッチパネルにより、表示画面の一端から反対方向への操作を受け付けた場合、前記インデックスリストを表示することを特徴とする請求項１に記載の表示装置。
【請求項３】
前記制御部は、表示画面の一端から反対方向へ前記インデックスリストをスライドしながら表示することを特徴とする請求項２に記載の表示装置。
【請求項４】
前記制御部は、前記インデックスリストとして、最初に、アルファベットを表示することを特徴とする請求項１〜３のいずれか１項に記載の表示装置。
【請求項５】
前記制御部は、前記インデックスリストとして、全てのアルファベットを前記表示部に表示することを特徴とする請求項４に記載の表示装置。
【請求項６】
前記制御部は、全てのアルファベットを表示した後、ひらがな、漢字の順、又は、漢字、ひらがなの順に表示することを特徴とする請求項５に記載の表示装置。
【請求項７】
コンテンツを記憶する記憶部をさらに備え、
前記制御部は、アルファベットにおいて、前記記憶部に記憶されていないコンテンツの属性情報の頭文字の表示態様を変更することを特徴とする請求項４〜６のいずれか１項に記載の表示装置。
【請求項８】
前記制御部は、表示態様の変更として、前記記憶部に記憶されていないコンテンツの属性情報の頭文字をグレーアウトすることを特徴とする請求項７に記載の表示装置。
【請求項９】
前記制御部は、ひらがなにおいて、５０音のうち、前記記憶部に記憶されているコンテンツの属性情報の頭文字が属する行の最初の文字を表示することを特徴とする請求項６に記載の表示装置。
【請求項１０】
前記制御部は、漢字において、前記記憶部に記憶されているコンテンツの属性情報の頭文字を表示することを特徴とする請求項６に記載の表示装置。
【請求項１１】
表示部と、
タッチパネルと、
制御部と、を備え、
前記制御部は、
コンテンツの属性情報を示すインデックスリストの一部を前記表示部に表示し、
前記タッチパネルにより、前記インデックスリストに対する操作を受け付けた場合、前記インデックスリストの表示領域を拡大し、前記インデックスリストの表示数を増やすことを特徴とする表示装置。
【請求項１２】
前記制御部は、前記タッチパネルにより、前記インデックスリストの文字の選択を受け付けた場合、属性情報の頭文字が、選択を受け付けた文字であるコンテンツから順に、コンテンツを並べた画面を表示することを特徴とする請求項１〜１１のいずれか１項に記載の表示装置。
【請求項１３】
表示部と、
タッチパネルと、
制御部と、を備える表示装置の制御プログラムであって、
前記制御部に、前記タッチパネルにより、一方向から他方向への操作を受け付けた場合に、コンテンツの属性情報の頭文字を示すインデックスリストを前記表示部に表示させるための表示装置の制御プログラム。
【請求項１４】
表示部と、
タッチパネルと、
制御部と、を備える表示装置の制御プログラムであって、
前記制御部に、
コンテンツの属性情報の頭文字を示すインデックスリストの一部を前記表示部に表示させ、
前記タッチパネルにより、前記インデックスリストに対する操作を受け付けた場合に、前記インデックスリストの表示領域を拡大させ、前記インデックスリストの表示数を増加させるための表示装置の制御プログラム。
【発明の詳細な説明】
【技術分野】
【０００１】
本発明は、コンテンツのタイトル等の属性情報を表示する表示装置、及び、表示装置の制御プログラムに関する。
【背景技術】
【０００２】
表示部として、ＬＣＤ（Liquid Crystal Display）を備えた装置において、ＬＣＤと連動したタッチパネルを備えている場合がある。タッチパネルによる操作を前提とした装置で、多数のソート済アイテム（例えば、コンテンツ）の中から、１つを選択するＵＩ（ユーザーインターフェース）において、特定の文字で始まるアイテムの位置まで素早く移動する方法として、「インデックスリスト」が用いられる。インデックスリストでは、画面の端に縦向きに、例えば、コンテンツのタイトルの頭文字が、Ａ、Ｂ、Ｃ．．．と表示される。特許文献１では、連絡先の頭文字が、画面の縦向きに表示されており、ユーザーは、特定の文字を選択することで、特定の文字から始まる連絡先にジャンプすることができる。
【０００３】
画面が非常に小さい装置では、インデックスリストとして表示可能な文字数が少ないため、非常に大雑把な位置にしかジャンプできない。文字が表示されないだけで、インデックスリスト上で指を上下に移動できる場合もあるが、小さい画面では、文字の間隔が狭くなる。このため、指を離したときに、別の文字が選択される場合が多く、操作が難しい。
【０００４】
また、一般的に、インデックスリストには、ひらがな／カタカナ等は、含まれず、漢字は、順序がわからないため、ジャンプもできない。そのため、これらが多く含まれるアイテムでは、ユーザーは、結局、多くのスクロールをしなければならない。
【先行技術文献】
【特許文献】
【０００５】
【特許文献１】特表２０１５−５１７１３１号公報
【発明の概要】
【発明が解決しようとする課題】
【０００６】
上述したように、画面が小さい装置では、ユーザーがコンテンツを選択しにくいという問題がある。
【０００７】
本発明の目的は、ユーザーが容易にコンテンツを選択可能な装置を提供することである。
【課題を解決するための手段】
【０００８】
第１の発明の表示装置は、表示部と、タッチパネルと、制御部と、を備え、前記制御部は、前記タッチパネルにより、一方向から他方向への操作を受け付けた場合、コンテンツの属性情報の頭文字を示すインデックスリストを前記表示部に表示することを特徴とする。
【０００９】
本発明では、制御部は、タッチパネルにより、一方向から他方向への操作を受け付けた場合、コンテンツの属性情報の頭文字を示すインデックスリストを表示部に表示する。これにより、ユーザーは、インデックスリストの文字を選択しやすくなる。また、例えば、制御部は、インデックスリストの文字の選択を受け付けた場合に、属性情報の頭文字が、選択を受け付けた文字であるコンテンツから順に、コンテンツを並べた画面を表示する。これにより、ユーザーは、インデックスリストから文字を選択した後、並べて表示されたコンテンツから、コンテンツを容易に選択することができる。なお、属性情報は、コンテンツのタイトル、コンテンツのアーティスト、コンテンツが含まれるアルバム名等である。
【００１０】
第２の発明の表示装置は、第１の発明の表示装置において、前記制御部は、前記タッチパネルにより、表示画面の一端から反対方向への操作を受け付けた場合、前記インデックスリストを表示することを特徴とする。
【００１１】
第３の発明の表示装置は、第２の発明の表示装置において、前記制御部は、表示画面の一端から反対方向へ前記インデックスリストをスライドしながら表示することを特徴とする。
【００１２】
第４の発明の表示装置は、第１〜第３のいずれかの発明の表示装置において、前記制御部は、前記インデックスリストとして、最初に、アルファベットを表示することを特徴とする。
【００１３】
第５の発明の表示装置は、第４の発明の表示装置において、前記制御部は、前記インデックスリストとして、全てのアルファベットを前記表示部に表示することを特徴とする。
【００１４】
第６の発明の表示装置は、第５の発明の表示装置において、前記制御部は、全てのアルファベットを表示した後、ひらがな、漢字の順、又は、漢字、ひらがなの順に表示することを特徴とする。
【００１５】
第７の発明の表示装置は、第４〜第６のいずれかの発明の表示装置において、コンテンツを記憶する記憶部をさらに備え、前記制御部は、アルファベットにおいて、前記記憶部に記憶されていないコンテンツの属性情報の頭文字の表示態様を変更することを特徴とする。
【００１６】
本発明では、制御部は、アルファベットにおいて、記憶部に記憶されていないコンテンツの属性情報の頭文字の表示態様を変更する。これにより、ユーザーは、その文字が頭文字である属性情報のコンテンツが記憶部に記憶されていないことを理解することができる。
【００１７】
第８の発明の表示装置は、第７の発明の表示装置において、前記制御部は、表示態様の変更として、前記記憶部に記憶されていないコンテンツの属性情報の頭文字をグレーアウトすることを特徴とする。
【００１８】
第９の発明の表示装置は、第６の発明の表示装置において、前記制御部は、ひらがなにおいて、５０音のうち、前記記憶部に記憶されているコンテンツの属性情報の頭文字が属する行の最初の文字を表示することを特徴とする。
【００１９】
第１０の発明の表示装置は、第６の発明の表示装置において、前記制御部は、漢字において、前記記憶部に記憶されているコンテンツの属性情報の頭文字を表示することを特徴とする。
【００２０】
第１１の発明の表示装置は、表示部と、タッチパネルと、制御部と、を備え、前記制御部は、コンテンツの属性情報を示すインデックスリストの一部を前記表示部に表示し、前記タッチパネルにより、前記インデックスリストに対する操作を受け付けた場合、前記インデックスリストの表示領域を拡大し、前記インデックスリストの表示数を増やすことを特徴とする。
【００２１】
本発明では、制御部は、タッチパネルにより、インデックスリストに対する操作を受け付けた場合、インデックスリストの表示領域を拡大し、インデックスリストの表示数を増やす。これにより、ユーザーは、インデックスリストの文字を選択しやすくなる。また、例えば、制御部は、インデックスリストの文字の選択を受け付けた場合に、属性情報の頭文字が、選択を受け付けた文字であるコンテンツから順に、コンテンツを並べた画面を表示する。これにより、ユーザーは、インデックスリストから文字を選択した後、並べて表示されたコンテンツから、コンテンツを容易に選択することができる。
【００２２】
第１２の発明の表示装置は、第１〜第１１のいずれかの発明の表示装置において、前記制御部は、前記タッチパネルにより、前記インデックスリストの文字の選択を受け付けた場合、属性情報の頭文字が、選択を受け付けた文字であるコンテンツから順に、コンテンツを並べた画面を表示することを特徴とする。
【００２３】
本発明では、制御部は、タッチパネルにより、インデックスリストの文字の選択を受け付けた場合、属性情報の頭文字が、選択を受け付けた文字であるコンテンツから順に、コンテンツを並べた画面を表示する。これにより、ユーザーは、並べて表示されたコンテンツから、コンテンツを容易に選択することができる。
【００２４】
第１３の発明の表示装置の制御プログラムは、表示部と、タッチパネルと、制御部と、を備える表示装置の制御プログラムであって、前記制御部に、前記タッチパネルにより、一方向から他方向への操作を受け付けた場合に、コンテンツの属性情報の頭文字を示すインデックスリストを前記表示部に表示させる。
【００２５】
第１４の発明の表示装置の制御プログラムは、表示部と、タッチパネルと、制御部と、を備える表示装置の制御プログラムであって、前記制御部に、コンテンツの属性情報の頭文字を示すインデックスリストの一部を前記表示部に表示させ、前記タッチパネルにより、前記インデックスリストに対する操作を受け付けた場合に、前記インデックスリストの表示領域を拡大させ、前記インデックスリストの表示数を増加させる。
【発明の効果】
【００２６】
本発明によれば、ユーザーは、コンテンツを容易に選択することができる。
【図面の簡単な説明】
【００２７】
【図１】本発明の実施形態に係るデジタルオーディオプレーヤーの構成を示すブロック図である。
【図２】コンテンツをリスト形式で表示するコンテンツリスト画面を示す図である（第１実施形態）。
【図３】インデックスリストを表示するインデックスリスト画面を示す図である（第１実施形態）。
【図４】インデックスリスト画面を示す図である（第１実施形態）。
【図５】インデックスリスト画面を示す図である（第１実施形態）。
【図６】インデックスリスト画面を示す図である（第１実施形態）。
【図７】コンテンツリスト画面を示す図である（第１実施形態）。
【図８】コンテンツリスト画面を示す図である（第２実施形態）。
【図９】コンテンツリストとインデックスリストとが表示された表示画面を示す図である（第２実施形態）。
【図１０】コンテンツリストとインデックスリストとが表示された表示画面を示す図である（第２実施形態）。
【図１１】インデックスリストが表示された表示画面を示す図である（第２実施形態）。
【図１２】インデックスリストが表示された表示画面を示す図である（第２実施形態）。
【図１３】インデックスリストが表示された表示画面を示す図である（第２実施形態）。
【発明を実施するための形態】
【００２８】
以下、本発明の実施形態について説明する。図１は、本発明の実施形態に係るデジタルオーディオプレーヤーの構成を示すブロック図である。デジタルオーディオプレーヤー（以下、「ＤＡＰ」という。）１は、ヘッドホン１０１にアナログオーディオデータを出力する。ヘッドホン１０１は、アナログオーディオデータに基づいて、音声を外部に出力する。
【００２９】
図１に示すように、ＤＡＰ１（表示装置）は、ＳｏＣ（System on Chip）２、記憶部３、表示部４、操作部５、Ｄ／Ａコンバーター（以下、「ＤＡＣ」という。）６、増幅器７、無線モジュール８、ＵＳＢインターフェース（以下、「ＵＳＢ  Ｉ／Ｆ」という。）９を備える。
【００３０】
ＳｏＣ２（制御部）は、ＣＰＵ（Central Processing Unit）、ＤＳＰ（Digital Signal Processor）、メモリ等を有し、ＤＡＰ１を構成する各部を制御する。記憶部３は、ＯＳプログラム、アプリケーションプログラム等のプログラム、デジタルオーディオデータ（コンテンツ）等の各種データを記憶するフラッシュメモリから構成されている。なお、記憶部３は、例示する構成に限られず、ＨＤＤ（Hard Disk Drive）等であってもよい。
【００３１】
表示部４は、種々の画像（静止画像、動画像を含む）を表示するものであり、液晶パネルにより構成されている。操作部５は、各種設定を行うための操作キー、及び、表示部４と連動したタッチパネル５１を備えている。タッチパネル５１は、表示部４上に設けられている。タッチパネル５１は、タッチ動作、及び、スライド動作等を受け付けるためのものである。ユーザーは、操作部５を介して、各種の文字入力、設定などを行うことが可能である。
【００３２】
ＳｏＣ２は、Ｉ２Ｓ形式のデジタルオーディオデータをＤＡＣ６に出力する。ＤＡＣ６は、デジタルオーディオデータをアナログオーディオデータにＤ／Ａ変換する。増幅器７には、ＤＡＣ６からのアナログオーディオデータが入力される。増幅器７は、ＤＡＣ６がＤ／Ａ変換したアナログオーディオデータを増幅し、ヘッドホン１０１に出力する。
【００３３】
無線モジュール１０は、Ｂｌｕｅｔｏｏｔｈ（登録商標）規格、Ｗｉ−Ｆｉ規格に従った無線通信を行うためのものである。ＵＳＢ  Ｉ／Ｆ１１は、ＵＳＢ規格に従った通信を行うためのものである。
【００３４】
（第１実施形態）
図２は、コンテンツをリスト形式で表示するコンテンツリスト画面を示す図である。図２に示すように、ＳｏＣ２は、例えば、記憶部３に記憶されているコンテンツ（楽曲）のタイトル（属性情報）をリスト形式で表示する。なお、本実施形態では、ＳｏＣ２は、コンテンツのタイトルをリスト表示しているが、アルバムのタイトル、アーティスト名等もリスト表示する。なお、コンテンツには、楽曲、動画、静止画等が含まれる。
【００３５】
図２に示す状態において、ＳｏＣ２は、タッチパネル５１により、矩形の表示画面の右端（一端）（一方向）から左方向（反対方向）（他方向）へのスワイプ操作を受け付けた場合、図３に示すように、コンテンツのタイトルの頭文字を示すインデックスリストを表示する。ＳｏＣ２は、表示画面の右端から左方向へインデックスリストをスライドしながら表示する。ＳｏＣ２は、まず、インデックスリストとして、アルファベットを表示する。例えば、アルファベットの「Ａ」は、コンテンツのタイトルの頭文字が「Ａ」であることを示している。ＳｏＣ２は、２６のアルファベットを表示画面の右端から左方向に徐々にスライド表示する。ＳｏＣ２は、最終的には、図４に示すように、２６のアルファベットを全て表示する。ＳｏＣ２は、インデックスリストをマトリックス状に表示する。
【００３６】
インデックスリストを表示するインデックスリスト画面において、アルファベットは、左から右に一行に５文字並べられている。ＳｏＣ２は、アルファベットにおいて、存在していない（記憶部３に記憶されていない）コンテンツのタイトルの頭文字の表示態様を変更する。本実施形態では、ＳｏＣ２は、存在していないコンテンツのタイトルの頭文字をグレーアウト表示する。例えば、図４において、アルファベット「Ｅ」がグレーアウト表示されているが、タイトルの頭文字が「Ｅ」のコンテンツが存在していない（記憶部３に記憶されていない）ことを示している。
【００３７】
図４に示す状態において、ＳｏＣ２は、上方向のスワイプ操作を受け付けた場合、図５に示すように、インデックスリスト画面を上方向にスクロールする。ＳｏＣ２は、アルファベットの下に、ひらがなを表示する。ＳｏＣ２は、ひらがなにおいて、５０音のうち、存在する（記憶部３に記憶されている）コンテンツのタイトルの頭文字が属する行の最初の文字を表示する（あかさたな〜）。例えば、ひらがな「あ」は、タイトルの頭文字が、あ行に属するコンテンツを示している。すなわち、タイトルの頭文字が、あ〜おのいずれかであることを示している。ひらがなにおいては、存在しない頭文字が属する行の最初の文字は、表示されない。例えば、図４においては、ひらがな「さ」は、表示されていないが、タイトルの頭文字が、さ行に属するさ〜そであるコンテンツは、存在しない。
【００３８】
図５に示すように、ＳｏＣ２は、ひらがなの下に、漢字を表示する。漢字においては、順序がつけられないため、ＳｏＣ２は、存在する（記憶部３に記憶されている）コンテンツのタイトルの頭文字を全て表示する。図５に示す状態において、ＳｏＣ２は、下方向のスワイプ操作を受け付けた場合、インデックスリスト画面を下方向にスクロールする。従って、ＳｏＣ２は、インデックスリスト画面において、上下方向のスワイプ操作を受け付けた場合、インデックスリスト画面を上下方向にスクロールする。図５に示す状態において、例えば、ＳｏＣ２は、図６に示すように、タッチパネル５１により、アルファベット「Ｐ」の選択を受け付けた場合、図７に示すように、タイトルの頭文字が「Ｐ」であるコンテンツから順に、コンテンツが並べられたコンテンツリスト画面を表示する。すなわち、ＳｏＣ２は、頭文字の選択を受け付けると、コンテンツリスト画面に戻る。インデックスリストは、通常、表示されておらず、ＳｏＣ２が、上記したスワイプ操作を受け付けると、表示される。
【００３９】
以上説明したように、本実施形態では、ＳｏＣ２は、タッチパネル５１により、表示画面の右端から左方向へのスワイプ操作を受け付けた場合、コンテンツのタイトルの頭文字を示すインデックスリストを表示する。これにより、ユーザーは、インデックスリストの文字を選択しやすくなる。また、ＳｏＣ２は、インデックスリストの文字の選択を受け付けた場合に、タイトルの頭文字が、選択を受け付けた文字であるコンテンツから順に、コンテンツを並べた画面を表示する。これにより、ユーザーは、インデックスリストから文字を選択した後、並べて表示されたコンテンツから、コンテンツを容易に選択することができる。
【００４０】
また、本実施形態では、ＳｏＣ２は、アルファベットにおいて、記憶部３に記憶されていないコンテンツのタイトルの頭文字の表示態様を変更する。具体的には、ＳｏＣ２は、コンテンツのタイトルの頭文字をグレーアウト表示する。これにより、ユーザーは、その文字が頭文字であるタイトルのコンテンツが記憶部３に記憶されていないことを理解することができる。
【００４１】
（第２実施形態）
第２実施形態では、ＳｏＣ２は、コンテンツリスト画面において、アルファベットの一部のインデックスリストを表示している。図８に示すように、ＳｏＣ２は、コンテンツリストの右端に、アルファベットの一部を縦に表示している。デフォルトでは、Ａ−Ｚのスクロール量が平均となるように表示されている。図８に示すように、アルファベットが、一列表示されている。アルファベットは、上から下に一列に７文字表示されている。ＳｏＣ２は、インデックスリストに対する画面の反対方向（左方向）へのスワイプ操作を受け付けた場合、図９に示すように、インデックスリストの表示領域を拡大する。ＳｏＣ２は、インデックスリストの表示領域の拡大にあわせて、インデックスリストを表示する列数（表示数）を増やす。図８から図９において、表示される列数が、１列から２列に増えている。
【００４２】
ＳｏＣ２は、さらに、スワイプ操作を受け付けた場合、図１０に示すように、さらに、インデックスリストの表示領域を拡大し、インデックスリストを表示する列数を増やす。図９から図１０において、表示される列数が、２列から３列に増えている。ＳｏＣ２は、さらに、スワイプ操作を受け付けた場合、図１１に示すように、インデックスリストの表示領域を全画面に拡大し、インデックスリストを表示する列数を全画面に増やす。図１０から図１１において、表示される列数が、３列から４列に増えている。図１１においては、全てのアルファベットが表示されている。
【００４３】
ＳｏＣ２は、インデックスリストが最大サイズになった場合、すなわち、全てのアルファベットを表示した場合、インデックスリストの水平方向のスワイプ操作を受け付ける。ＳｏＣ２は、インデックスリストの下に、スクロールバーを表示し、インデックスリストの水平方向のスワイプ操作を受け付ける。図１１に示す状態において、ＳｏＣ２は、スクロールバーにより、水平方向のスワイプを受け付けた場合、インデックスリストを水平方向にスクロールし、ひらがな、カタカナ、漢字等を表示する。ＳｏＣ２は、インデックスリストをマトリクス状に表示する。
【００４４】
図１２に示す状態において、例えば、ＳｏＣ２は、図１３に示すように、タッチパネル５１により、アルファベット「Ｒ」の選択を受け付けた場合、タイトルの頭文字が「Ｒ」であるコンテンツから順に、コンテンツが並べられたコンテンツリスト画面を表示する。すなわち、ＳｏＣ２は、頭文字の選択を受け付けると、コンテンツリスト画面に戻る。
【００４５】
以上説明したように、本実施形態では、ＳｏＣ２は、タッチパネル５１により、インデックスリストに対する操作を受け付けた場合、インデックスリストの表示領域を拡大し、インデックスリストの表示数を増やす。これにより、ユーザーは、インデックスリストの文字を選択しやすくなる。また、ＳｏＣ２は、インデックスリストの文字の選択を受け付けた場合に、タイトルの頭文字が、選択を受け付けた文字であるコンテンツから順に、コンテンツを並べた画面を表示する。これにより、ユーザーは、インデックスリストから文字を選択した後、並べて表示されたコンテンツから、コンテンツを容易に選択することができる。
【００４６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４７】
上述の第１実施形態においては、ＳｏＣ２は、タッチパネル５１により、表示画面の右端から左方向へのスワイプ操作を受け付けた場合、インデックスリストを表示する。これに限らず、ＳｏＣ２は、タッチパネル５１により、表示画面の左端から右方向へのスワイプ操作を受け付けた場合に、インデックスリストを表示するようになっていてもよい。この場合、ＳｏＣ２は、表示画面の右端から左方向へインデックスリストをスライドしながら表示する。また、ＳｏＣ２は、タッチパネル５１により、表示画面の上端又は下端から下方向又は上方向へのスワイプ操作を受け付けた場合に、インデックスリストを表示するようになっていてもよい。この場合、ＳｏＣ２は、表示画面の上端又は下端から下方向又は上方向へインデックスリストをスライドしながら表示する。
【００４８】
上述の第１実施形態においては、ＳｏＣ２は、表示態様の変更として、記憶部３に記憶されていないコンテンツのタイトルの頭文字をグレーアウトする。これに限らず、ＳｏＣ２は、記憶部３に記憶されていないコンテンツのタイトルの頭文字を表示しなかったり、頭文字にＸ印をつけたりしてもよい。
【００４９】
上述の実施形態においては、表示装置として機能する装置として、ＤＡＰを例示した。これに限らず、ＤＡＰ以外のスマートフォン、タブレットＰＣ等であってもよい。
【産業上の利用可能性】
【００５０】
本発明は、コンテンツのタイトル等の属性情報を表示する表示装置、及び、表示装置の制御プログラムに好適に採用され得る。
【符号の説明】
【００５１】
１  ＤＡＰ（表示装置）
２  ＳｏＣ（制御部）
３  記憶部
４  表示部
５  操作部
５１  タッチパネル
【図１】
2019040398.tif 000003
【図２】
2019040398.tif 000004
【図３】
2019040398.tif 000005
【図４】
2019040398.tif 000006
【図５】
2019040398.tif 000007
【図６】
2019040398.tif 000008
【図７】
2019040398.tif 000009
【図８】
2019040398.tif 000010
【図９】
2019040398.tif 000011
【図１０】
2019040398.tif 000012
【図１１】
2019040398.tif 000013
【図１２】
2019040398.tif 000014
【図１３】
2019040398.tif 000015